(57)【要約】【課題】観光案内無線機において、スイッチを切り忘れても電池が消耗しないようにする。【解決手段】無線送信機は、電源スイッチONで停止状態から待機状態になる。待機状態において音声入力を検知すると動作状態になり送信する。動作状態において一定時間無音状態であると待機状態になる。待機状態において長時間無音状態であると停止状態になる。無線受信機は、電源スイッチONで停止状態から待機状態になる。待機状態において一定時間ごとに所定のチャンネルのキャリアを調べる。キャリアを受信すると動作状態になり、受信した音声を出力する。動作状態において一定時間キャリアを受信しないと待機状態になる。待機状態において長時間キャリアを受信しないと停止状態になる。強制的に停止状態にすることもできる。【選択図】    図１
2008017078.tif 000002
【特許請求の範囲】
【請求項１】
電池と、マイクと、音声増幅器と、無線送信手段と、待機状態において音声入力を検知すると動作状態にする音声検知手段と、動作状態において一定時間無音状態であることを検知すると待機状態にする節電手段と、待機状態において長時間無音状態であることを検知すると停止状態にする停止手段と、停止状態において操作入力を検知すると待機状態にする起動手段と、強制的に停止状態にする停止スイッチとを具備することを特徴とする無線送信機。
【請求項２】
電池と、無線受信手段と、音声増幅器と、イヤホンと、待機状態において一定時間ごとに所定のチャンネルのキャリアを受信するように制御する間欠受信制御手段と、キャリアを受信すると動作状態にする受信感知手段と、動作状態において一定時間キャリアを受信しないと待機状態にする節電手段と、待機状態において長時間キャリアを受信しないと停止状態にする停止手段と、停止状態において操作入力を検知すると待機状態にする起動手段と、強制的に停止状態にする停止スイッチとを具備することを特徴とする無線受信機。
【請求項３】
電池と、無線受信手段と、音声増幅器と、イヤホンと、時計と、時計を含む最小限の回路のみが動作している半停止状態において時刻に合わせて所定のチャンネルのキャリアを受信するように制御する定時受信制御手段と、半停止状態においてキャリアを受信すると待機状態にする定時受信感知手段と、待機状態において一定時間ごとに所定のチャンネルのキャリアを受信するように制御する間欠受信制御手段と、待機状態においてキャリアを受信すると動作状態にする受信感知手段と、動作状態において一定時間キャリアを受信しないと待機状態にする節電手段と、待機状態において長時間キャリアを受信しないと半停止状態にする半停止手段とを具備することを特徴とする無線受信機。
【発明の詳細な説明】
【技術分野】
【０００１】
本発明は、観光案内無線機に関し、特に、観光案内人が観光客に観光案内をするための電池の消耗が少ない観光案内無線機に関する。
【背景技術】
【０００２】
観光案内などのガイド用機器として、無線ガイドシステムがある。ワイヤレスマイクから受信機に音声を伝える装置であり、約50〜60mの広いエリアをカバーできる。通信路は６チャンネルあり、選択したチャンネルで受信した音声を、耳掛け式イヤホンで聞く。電源は充電式電池である。周囲の雑音を抑圧するノイズキャンセラーマイクユニットにより、騒音下でも送信者のクリアな声を送信できる。
【０００３】
また、同様な機能のワイヤレスガイドシステムがある。300MHz帯C型ワイヤレスマイクの電波を使用した一方向の通信システムであり、13チャンネルを備えているが、同一空間では最大５チャンネルまで同時に使用できる。工場案内、観光案内、補聴援助、簡易同時通訳、窓口呼出、PAシステムの省線化、ワイヤレスマイクとして利用できる。送信機は、接話型マイクロホンを使用するので、騒音の高いところでも使用できる。送信出力は１mWであり、単３形アルカリ乾電池で時約20時間使用できる。以下に、これに関連する従来技術の例をいくつかあげる。
【０００４】
特許文献１に開示された「多チャンネルアクセス式無線通信装置」は、間欠通信を行って電池の寿命を延ばすものである。多チャンネルアクセス式無線通信装置が発呼用に制御信号の送信を完了した時点で、通信装置の間欠動作用タイマを基準時刻に設定する。上記送信完了と同一時点である上記制御信号を受信した時点で無線通信装置の間欠動作用タイマを基準時刻に設定する。通信装置の間欠動作用タイマが基準時刻から所定時間の経過ごとに発生する付勢信号に基づいて、通信制御部が対応する無線通信装置を通信可能状態とし、付勢信号の非発生状態において通信装置を通信停止状態とする。
【０００５】
特許文献２に開示された「音声送信制御機能を備えた無線通信装置」は、通話品質に与える影響を極力抑えた上で、効果的に音声送信制御を行なえるようにして、通話品質の保持と電池の消耗の低減との両立を図るものである。通話中に、ミュートキーのオン／オフ操作を監視する。ミュートキーがオン操作されていない状態では、別途キー入力により指定されたVOXオンモードまたはオフモードに従って、VOX制御回路を動作制御する。ミュートキーがオン操作されてミュート状態になると、VOXモードが如何なるモードに設定されていても、VOX制御回路を強制的に動作状態に変更する。これにより、ミュート期間中には、必ずVOX制御を行なわせるようにしたものである。
【特許文献１】特開平06-314986号公報
【特許文献２】特開平08-032463号公報
【発明の開示】
【発明が解決しようとする課題】
【０００６】
しかし、従来の観光案内無線機には、次のような問題がある。受信機のスイッチを切り忘れると電池が消耗して、使用できなくなる。節電するために各種のスイッチを設けると操作が複雑になって、利用者全員に正しく操作するように指示することが困難になる。
【０００７】
本発明の目的は、上記従来の問題を解決して、観光案内無線機において、スイッチを切り忘れても電池が消耗しないようにすることである。
【課題を解決するための手段】
【０００８】
上記の課題を解決するために、本発明では、無線送信機を、電池と、マイクと、音声増幅器と、無線送信手段と、待機状態において音声入力を検知すると動作状態にする音声検知手段と、動作状態において一定時間無音状態であることを検知すると待機状態にする節電手段と、待機状態において長時間無音状態であることを検知すると停止状態にする停止手段と、停止状態において操作入力を検知すると待機状態にする起動手段と、強制的に停止状態にする停止スイッチとを具備する構成とした。
【０００９】
また、無線受信機を、電池と、無線受信手段と、音声増幅器と、イヤホンと、待機状態において一定時間ごとに所定のチャンネルのキャリアを受信するように制御する間欠受信制御手段と、キャリアを受信すると動作状態にする受信感知手段と、動作状態において一定時間キャリアを受信しないと待機状態にする節電手段と、待機状態において長時間キャリアを受信しないと停止状態にする停止手段と、停止状態において操作入力を検知すると待機状態にする起動手段と、強制的に停止状態にする停止スイッチとを具備する構成とした。
【発明の効果】
【００１０】
上記のように構成したことにより、観光案内無線機のスイッチを切り忘れても、電池が消耗しない。
【発明を実施するための最良の形態】
【００１１】
以下、本発明を実施するための最良の形態について、図１〜図３を参照しながら詳細に説明する。
【実施例１】
【００１２】
本発明の実施例１は、待機状態において音声入力を検知すると動作状態になり、動作状態において一定時間無音状態であることを検知すると待機状態になり、待機状態において長時間無音状態であることを検知すると停止状態になり、停止状態において操作入力を検知すると待機状態になる無線送信機である。
【００１３】
図１は、本発明の実施例１における無線送信機の状態遷移図である。図１（ａ）は、概略的な状態遷移図である。図１（ｂ）は、詳細な状態遷移図である。図１（ｃ）は、状態を示すLED点灯方法の説明図である。
【００１４】
上記のように構成された本発明の実施例２における無線送信機の機能と動作を説明する。最初に、図１（ａ）を参照しながら、無線送信機の状態遷移の概要を説明する。音声回路や高周波回路などは、周知のものであるので、説明は省略する。電源OFFの停止状態において、電源スイッチをONにすると、待機状態になる。待機状態では、高周波回路はOFFであり、LEDは消灯しているが、音声回路は間欠的に動作している。待機状態において、音声入力を検知すると、高周波回路がONになり、音声を無線で送信する動作状態になる。動作状態において一定時間無音状態であることを検知すると、待機状態になる。待機状態において長時間無音状態であることを検知すると、停止状態になる。停止スイッチで強制的に停止状態にすることもできる。
【００１５】
次に、図１（ｂ）を参照しながら、各状態を詳しく説明する。停止状態は、電源がOFFの状態であり、すべての回路が停止している。停止状態で、電源スイッチを50ms〜２秒間ONにすると、待機状態になる。電源スイッチを50ms以下の時間だけ押しても状態は変化しない。不用意にスイッチに触れても動作が変化しないようにするためである。待機状態では、音声回路の電源をONにして、音声入力の有無を調べる。音声が100ms以上無ければ、音声回路と高周波回路の電源をOFFにし、LEDを消灯する。そして、900ms待ち、音声回路の電源をONにして、音声入力の有無を調べる。これを繰り返す。音声入力が検知されると、動作状態になる。約１秒に１回だけ動作するので、待機状態における消費電力は非常に少ない。
【００１６】
動作状態では、高周波回路の電源をONにしてLEDを点灯する。チャンネルスイッチを読み込み、それに従ってPLL回路を設定する。これにより、音声信号を無線で送信する。チャンネルは混信が起きないように選択する。音声入力を調べ、音声を検知すると、APO(Auto Power Off)タイマをリセットする。音声入力が30秒以上無いと、待機状態になる。
【００１７】
待機状態において、電源スイッチを２秒以上押し続けると、停止状態になる。動作状態においても同様である。また、音声入力が２時間以上無いと、APOタイマがタイムアップして、停止状態になる。電源ON中は、APOタイマを常に監視しており、２時間経過すると自動的に電源をOFFにする。ただし、音声有りの場合はAPOタイマをリセットするので、APOが働くのは、音声無しの場合だけになる。
【００１８】
電池の電圧が2.4V以下に低下したことを検知すると、低電圧状態になる。動作状態においても同様である。低電圧検知では、一旦、低電圧を検知すると、再度電圧が通常値まで復帰しても、低電圧状態を保持し続ける。低電圧状態では、音声回路と高周波回路はOFFとなり、LEDが点滅する。APOと電源スイッチは有効である。電源スイッチを２秒以上押すか、APOタイマがタイムアップすると、停止状態になる。
【００１９】
次に、図１（ｃ）〜（ｅ）を参照しながら、LEDの点滅で状態を表示する方法を説明する。図１（ｃ）は、３回の点滅で、電源スイッチ押下による停止を示す方法である。図１（ｄ）は、待機状態を示す点滅方法である。図３（ｅ）は、低電圧状態を示す点滅方法である。動作状態では、LEDは連続点灯している。停止状態では、消灯している。
【００２０】
上記のように、本発明の実施例１では、無線送信機を、待機状態において音声入力を検知すると動作状態になり、動作状態において一定時間無音状態であることを検知すると待機状態になり、待機状態において長時間無音状態であることを検知すると停止状態になり、停止状態において操作入力を検知すると待機状態になる構成としたので、電源スイッチを切り忘れても電池が消耗しない。
【実施例２】
【００２１】
本発明の実施例２は、待機状態において一定時間ごとに所定のチャネルのキャリアを調べ、キャリアを検出すると動作状態になり、動作状態において一定時間キャリアを受信しないと待機状態になり、待機状態において長時間キャリアを受信しないと停止状態になる無線受信機である。
【００２２】
図２は、本発明の実施例２における無線受信機の状態遷移図である。図２（ａ）は、概略的な状態遷移図である。図２（ｂ）は、詳細な状態遷移図である。図２（ｃ）は、状態を示すLED点灯方法の説明図である。
【００２３】
上記のように構成された本発明の実施例２における無線受信機の機能と動作を説明する。最初に、図２（ａ）を参照しながら、無線受信機の状態遷移の概要を説明する。音声回路や高周波回路などは、周知のものであるので、説明は省略する。電源OFFの停止状態において、電源スイッチをONにすると、待機状態になる。待機状態では、高周波回路は間欠的に動作している。待機状態において、キャリアを受信すると動作状態になる。動作状態では、受信した音声信号を出力する。動作状態において、キャリアが無くなると待機状態になる。待機状態において、長時間無キャリア状態であると停止状態になる。停止スイッチで強制的に停止状態にすることもできる。
【００２４】
次に、図２（ｂ）を参照しながら、各状態を詳しく説明する。停止状態は、電源がOFFの状態であり、すべての回路が停止している。停止状態で、電源スイッチを50ms〜２秒間ONにすると、待機状態になる。電源スイッチを50ms以下の時間だけ押しても状態は変化しない。不用意にスイッチに触れても動作が変化しないようにするためである。待機状態では、高周波回路の電源をONにして、キャリアの有無を調べる。チャンネルはチャンネル設定スイッチを読み込むことで決める。キャリアが無ければ、高周波回路の電源をOFFにする。そして、800ms待ち、高周波回路の電源をONにして、キャリアの有無を調べる。これを繰り返す。キャリアが検知されると、動作状態になる。約１秒に１回だけ動作するので、待機状態における消費電力は非常に少ない。
【００２５】
動作状態では、LEDを点灯して音声回路を動作させる。APOタイマをリセットして、キャリアを調べる。キャリアがあれば、これを繰り返す。キャリアが無ければ、間欠タイマをリセットして、LEDを消灯し、音声回路をミュートにて、待機状態になる。待機状態では、最初の100msは連続してキャリアを調べるが、その後は間欠的に調べる。これは、キャリアの瞬断により受信が中断することを防ぐためである。
【００２６】
待機状態において、電源スイッチを２秒以上押し続けると、停止状態になる。動作状態でも同様である。また、キャリアが２時間以上無いと、APOタイマがタイムアップして、停止状態になる。電源ON中は、APOタイマを常に監視しており、２時間経過すると自動的に電源をOFFにする。ただし、キャリア有りの場合はAPOタイマをリセットするので、APOが働くのは、キャリア無しの場合だけになる。
【００２７】
電池の電圧が2.4V以下に低下したことを検知すると、低電圧状態になる。動作状態でも同様である。低電圧検知では、一旦、低電圧を検知すると、再度電圧が通常値まで復帰しても、低電圧状態を保持し続ける。低電圧状態では、高周波回路はOFFとなり、LEDが点滅する。APOと電源スイッチは有効である。電源スイッチを２秒以上押すか、APOタイマがタイムアップすると、停止状態になる。
【００２８】
次に、図２（ｃ）〜（ｅ）を参照しながら、LEDの点滅で状態を表示する方法を説明する。図２（ｃ）は、３回の点滅で、電源スイッチ押下による停止を示す方法である。図２（ｄ）は、待機状態を示す点滅方法である。図２（ｅ）は、低電圧状態を示す点滅方法である。動作状態では、LEDは連続点灯している。停止状態では、消灯している。
【００２９】
上記のように、本発明の実施例２では、無線受信機を、待機状態において一定時間ごとに所定のチャネルのキャリアを調べ、キャリアを検出すると動作状態になり、動作状態において一定時間キャリアを受信しないと待機状態になり、待機状態において長時間キャリアを受信しないと停止状態になる構成としたので、電源スイッチを切り忘れても電池が消耗しない。
【実施例３】
【００３０】
本発明の実施例３は、半停止状態において時刻に合わせて定期的に所定のチャネルのキャリアを調べ、キャリアを検出すると待機状態になり、待機状態において一定時間ごとに所定のチャネルのキャリアを調べ、キャリアを検出すると動作状態になり、動作状態において一定時間キャリアを受信しないと待機状態になり、待機状態において長時間キャリアを受信しないと半停止状態になる無線受信機である。
【００３１】
図３は、本発明の実施例３における無線受信機の状態遷移図である。図３（ａ）は、概略的な状態遷移図である。図３（ｂ）は、詳細な状態遷移図である。しかし、細かい点は省略してある。
【００３２】
上記のように構成された本発明の実施例３における無線受信機の機能と動作を説明する。最初に、図３（ａ）を参照しながら、無線受信機の状態遷移の概要を説明する。音声回路や高周波回路などは、周知のものであるので、説明は省略する。時計と最小限の回路のみが電源ONである半停止状態において、高周波回路は間欠的に動作している。時刻に合わせて所定のチャネルのキャリアを調べる。例えば、毎時０分と30分に調べる。キャリアを検出すると待機状態になる。待機状態において、キャリアを受信すると動作状態になる。動作状態では、受信した音声信号を出力する。動作状態において、キャリアが無くなると待機状態になる。待機状態において、１時間無キャリア状態であると半停止状態になる。半停止状態と待機状態における消費電力は非常に少ないので、電源をすべてOFFにしなくても、長時間動作できる。
【００３３】
次に、図３（ｂ）を参照しながら、各状態を詳しく説明する。半停止状態は、電源がONの状態であり、時計は常に動作している。高周波回路は、時刻に合わせて間欠的に動作する。半停止状態においてキャリアを検出すると、待機状態になる。待機状態では、約１秒ごとに間欠的にキャリアの有無を調べる。キャリアが無ければ、高周波回路の電源をOFFにする。そして、800ms待ち、高周波回路の電源をONにして、キャリアの有無を調べる。これを繰り返す。キャリアが検知されると、動作状態になる。動作状態では、音声回路を動作させる。APOタイマをリセットして、キャリアを調べる。キャリアがあれば、これを繰り返す。キャリアが無ければ、待機状態になる。待機状態において、キャリアが１時間以上無いと、APOタイマがタイムアップして、半停止状態になる。
【００３４】
上記のように、本発明の実施例３では、無線受信機を、半停止状態において時刻に合わせて定期的に所定のチャネルのキャリアを調べ、キャリアを検出すると待機状態になり、待機状態において一定時間ごとに所定のチャネルのキャリアを調べ、キャリアを検出すると動作状態になり、動作状態において一定時間キャリアを受信しないと待機状態になり、待機状態において長時間キャリアを受信しないと半停止状態になる構成としたので、何らの操作をしなくても、受信と節電ができる。
【産業上の利用可能性】
【００３５】
本発明の観光案内無線機は、観光案内人が観光客に観光案内をするための電池の消耗が少ない観光案内無線機として最適である。
【図面の簡単な説明】
【００３６】
【図１】本発明の実施例１における無線送信機の状態遷移図である。
【図２】本発明の実施例２における無線受信機の状態遷移図である。
【図３】本発明の実施例３における無線受信機の状態遷移図である。
【図１】
2008017078.tif 000003
【図２】
2008017078.tif 000004
【図３】
2008017078.tif 000005